(57)【特許請求の範囲】
【請求項１】
一組のパネルを組み立てて、引き出し、戸棚、書棚、洋服だんす、台所設備のような家具の構成部品、又は家具のような組立品を得る方法において、
第１主平面を持つ第１パネル（１）を第２主平面を持つ第２パネル（２）に垂直に配置する工程であって、前記第１主平面は前記第２主平面に対して垂直である、工程と、
前記第１パネル（１）の第１の縁を前記第２パネル（２）の第１の縁に、前記第１パネル（１）及び／又は前記第２パネル（２）の直線的変位によって、手で連結する工程と、
第３主平面を持つ第３パネル（４）を前記第１パネル（１）及び前記第２パネル（２）に垂直に配置する工程であって、前記第３主平面は前記第１主平面及び前記第２主平面に対して垂直である、工程と、
前記第３パネル（４）の第１の縁を前記第２パネル（２）の第２の縁に、前記第３パネル（４）及び／又は前記第２パネル（２）の直線的変位によって、手で連結する工程と、
前記第３パネル（４）の第２の縁を前記第１パネル（１）の第２の縁に、前記第３パネル（４）及び／又は前記第１パネル（１）の直線的変位（４２）によって、手で連結する工程とを含み、
各前記直線的変位は、前記第３主平面に平行な方向で実行され、
各前記連結工程は、パネルの端と隣接するパネルの端とを互いに係止するため、係止デバイスの可撓性タングの一部をタング溝内に変位する工程を含み、
前記第３パネル（４）の第１の縁の前記第２パネル（２）の第２の縁への連結工程において、前記第３パネル（４）の第１の縁が、前記第１主平面に対して垂直な方向（４３）に変位可能に前記第２パネル（２）の第２の縁に連結されるか、又は、前記第３パネル（４）の第２の縁の前記第１パネル（１）の第２の縁への連結工程において、前記第３パネル（４）の前記第２の縁が、前記第２主平面に対して垂直な方向（４２）に変位可能に前記第１パネル（１）の前記第２の縁に連結される、ことを特徴とする方法。
【請求項２】
請求項１に記載の方法において、前記第２主平面と平行な第４主平面を持つ第４パネル（５）を、前記第１パネル（１）及び前記第３パネル（４）に対して垂直に配置する工程と、前記第４パネル（５）の第１の縁を前記第１パネル（１）の第３の縁に、前記第４パネル（５）及び／又は第１パネル（１）の直線的変位によって、手で連結する工程を含む、ことを特徴とする方法。
【請求項３】
請求項２に記載の方法において、前記第３パネル（４）の第３の縁を前記第４パネル（５）の第２の縁に、前記第３パネル（４）及び／又は前記第４パネル（５）の直線的変位によって、手で連結する工程を含む、ことを特徴とする方法。
【請求項４】
請求項２又は３に記載の方法において、前記第１主平面と平行な第５主平面を持つ第５パネル（６）を前記第３パネル及び前記第４パネルに対して垂直に配置する工程と、前記第５パネル（６）の第３の縁を前記第２パネル（２）の第３の縁に、及び前記第５パネルの第１の縁を前記第４パネルの第３の縁に、前記第５パネル（６）及び／又は前記第２パネル及び前記第４パネルの直線的変位によって、手で連結する工程を含む、ことを特徴とする方法。
【請求項５】
請求項１乃至４のうちのいずれか一項に記載の方法において、前記パネルの組は、少なくとも五つのパネルを含み、各前記連結工程は、これらの五つのパネルのうちの一つを直線的に変位する工程を含む、ことを特徴とする方法。
【発明の詳細な説明】
【技術分野】
【０００１】
本発明は、箱又は引き出し等の家具の構成部品、又は家具等の組立品、及び組立品の組み立て方法に関する。組立品には可撓性タングを含む係止デバイスが設けられている。
【背景技術】
【０００２】
機械式係止システムを持つ家具は、例えばＷＯ２０１２／１５４１１３（Ａ１）で公知である。この家具は、挿入溝内の可撓性タングを含む機械式係止システムによって、第２パネルに垂直に連結された第１パネルを含む。
【発明の概要】
【発明が解決しようとする課題】
【０００３】
本発明の特定の実施の形態の目的は、上文中に説明した技術及び当該技術に改良を提供することである。特定の目的は、家具製品を組み立てるための方法を改良することである。
【０００４】
本発明の実施の形態の別の目的は、いわゆるフラットパック（ｆｌａｔ−ｐａｃｋ）家具製品等の組立品用の、工具なしで組み立てられるように形成された一組のパネル及び製品の組み立て方法を提供することである。
【０００５】
以下の説明から明らかになるこれらの及び他の目的及び利点の少なくとも幾つかは、組立品用の一組のパネルを含む、本発明の第１態様によって達成される。当該パネルの組には、一つ又はそれ以上の係止デバイスが設けられている。各係止デバイスは、パネルの縁の挿入溝に配置された可撓性タングを含み、前記可撓性タングは、パネルと隣接したパネルとを互いに係止するため、隣接したパネルの隣接した縁のタング溝と協働する。係止デバイスは、縁及び隣接した縁が手で連結されるように形成されている。パネルの組は、隣接した縁のところで、係止デバイスのうちの少なくとも一つによって、好ましくは矩形形状のフレームが得られるように互いに連結されるように形成された少なくとも四つのフレームパネルを含む。パネルの組は、フレームの背縁部又は底縁部に前記係止デバイスの少なくとも一つによって連結されるように形成された背パネル又は底パネル等の第５パネルを含む。
【０００６】
第５パネルは、好ましくは、フレームパネルのうちの二つ又はそれ以上のフレームパネルの背縁又は底縁に、前記二つ又はそれ以上のフレームパネルの背縁又は底縁の各々のところで、前記係止デバイスの少なくとも一つによって、連結されるように形成されている。
【０００７】
係止デバイスは、パネル又は隣接したパネルに縁部分溝を含んでいてもよい。パネルと隣接したパネルとを互いに係止するため、パネル又は隣接したパネルのうちの他方の縁部分が、縁溝と協働してもよい。パネルと隣接したパネルとを第１方向で互いに係止するため、可撓性タング及びタング溝が協働し、パネルと隣接したパネルとを第１方向とは垂直な第２方向で互いに係止するため、縁部分及び縁部分溝が協働する。
【０００８】
縁部分には較正溝が設けられていてもよい。
【０００９】
パネルは、プラスチック製であってもよいし、木質繊維であってもよい。パネルは、プラスチックパネル、又は木質繊維をベースとしたボード、例えばＨＤＦボード、パーティクルボード、又は無垢板ボードであってもよい。パネルには、装飾層が設けられていてもよい。
【００１０】
組立品は、引き出し、戸棚、書棚、洋服だんす、台所設備、又は収納や輸送のための箱等の家具の構成部品、又は家具であってもよい。
【００１１】
前記係止デバイスの少なくとも一つの挿入溝は、本質的にパネルの縁の全長に沿って延びていてもよい（例えば、パネルの長さの少なくとも８０％）。
【００１２】
前記係止デバイスのうちの少なくとも一つの係止デバイスのタング溝は、本質的に、隣接したパネルの隣接した縁の本質的に全長に沿って延びていてもよい（例えば、隣接したパネルの長さの少なくとも８０％）。
【００１３】
本質的に、パネル及び隣接したパネルの全幅に沿って延びる（例えば、隣接したパネルの幅の少なくとも８０％）タング溝及び挿入溝は、夫々、タング溝及び挿入溝の形成を容易にする。タング溝及び挿入溝は、固定研削ヘッド等の機械式切削工具を通して、パネル及び隣接したパネルの夫々を変位することによって形成されていてもよい。
【００１４】
任意のパネルには、係止デバイスのうちの任意の係止デバイスに、分解溝が設けられていてもよく、前記分解溝又は凹所は、好ましくは、分解工具を挿入されるようになっている。分解工具を分解溝又は凹所に挿入し、係止デバイスを係止解除してもよい。
【００１５】
本発明の第２の態様は、一組のパネルを組み立てて、組立品を得る方法において、
第１主平面を持つ第１パネルを第２主平面を持つ第２パネルに垂直に配置する工程であって、第１主平面は第２主平面に対して垂直である、工程と、
第１パネルの第１の縁を第２パネルの第１の縁に、第１パネル及び／又は第２パネルの直線的変位によって、手で連結する工程と、
第３主平面を持つ第３パネルを第１パネル及び第２パネルに垂直に配置する工程であって、第３主平面は第１主平面及び第２主平面に対して垂直である、工程と、
第３パネルの第２の縁を第２パネルの第２の縁に、第３パネル及び／又は第２パネルの直線的変位によって、手で連結する工程とを含む、方法である。
【００１６】
本方法は、更に、第３パネルの第１の縁を第１パネルの第２の縁に、第３パネル及び／又は第１パネルの直線的変位によって、手で連結する工程を含んでいてもよい。
【００１７】
本方法は、更に、第２主平面と平行な第４主平面を持つ第４パネルを第１パネル及び第３パネルに垂直に配置し、第４パネル及び／又は第１パネルを直線的に変位することによって、第４のパネルの第１の縁を第１のパネルの第３の縁に手で連結する工程を含んでいてもよい。
【００１８】
本方法は、第３パネルの第３の縁を第４パネルの第２の縁に、第３パネル及び／又は第４パネルの直線的変位によって、手で連結する工程を含んでいてもよい。
【００１９】
本方法は、更に、第１主平面と平行な第５主平面を持つ第５パネルを第３パネル及び第４パネルに対して垂直に配置し、第５パネルの第１の縁を第２パネルの第３の縁に、及び第５パネルの第３の縁を第４パネルの第３の縁に、第５パネル及び／又は第２パネル及び第４パネルの直線的変位によって、手で連結する工程を含んでいてもよい。
【００２０】
パネルの組は、少なくとも五枚のパネルを含み、各連結工程は、これらの五枚のパネルのうちの一つを直線的に変位する工程を含んでいてもよい。
【００２１】
第２の態様のパネルの組は、第１態様での使用を説明した係止デバイスの実施の形態を含んでいてもよい。
【００２２】
各直線的変位は、第３主平面と平行な方向で行われてもよい。
【００２３】
各連結工程は、係止デバイスの可撓性タングの一部を変位する工程を含み、可撓性タングの一部は、縁を隣接した縁に係止するため、タング溝内に変位される。
【００２４】
各連結工程は、二枚のパネルを、これらのパネルが、連結された二枚のパネルの各々の主平面に対して垂直な方向で互いに機械的に係止されるように連結する工程を含む。
【００２５】
パネルは、プラスチックや木質繊維で形成されていてもよい。例えば、パネルは、木質繊維をベースとしたボード、例えばＨＤＦボード、パーティクルボード、又は無垢板ボード、又はプラスチックパネルであってもよい。これらのパネルには、装飾層が設けられていてもよい。
【００２６】
組立品は、引き出し、戸棚、書棚、洋服だんす、台所設備、又は収納や輸送のための箱等の家具の構成部品、又は家具であってもよい。
【００２７】
第１パネル、第２パネル、第３パネル、第４パネル、又は第５パネルのうちの任意のパネルの任意の縁の連結中の前記直線的変位は、変形例では、本質的に直線的変位であってもよい。
【００２８】
方法は、第１態様のパネルの組を組み立てるために使用されてもよい。
【００２９】
本発明の第３態様は、三つの異なる平面に配置された少なくとも三つのパネルを含む組立品であり、第１パネルは第２パネルに本質的に垂直に連結され、第３パネルは第２パネルに本質的に垂直に連結されている。組立品は、一つ又はそれ以上の係止デバイスを含み、各係止デバイスは、パネルの挿入溝に配置された可撓性タングを含み、前記可撓性タングは、パネルと隣接したパネルとを互いに係止するため、隣接したパネルのタング溝と協働する。第２パネルの第２の縁は、第３パネルの第２の縁に前記係止デバイスのうちの第１係止デバイスによって連結されている。
【００３０】
パネルは、プラスチック製であってもよいし木質繊維製であってもよい。例えば、パネルは、木質繊維をベースとしたボード、例えばＨＤＦボード又はパーティクルボード、又は無垢板ボード、又はプラスチックパネルであってもよい。これらのパネルには、装飾層が設けられていてもよい。
【００３１】
組立品は、引き出し、戸棚、書棚、洋服だんす、台所設備、又は収納や輸送のための箱等の家具の構成部品、又は家具であってもよい。
【００３２】
三つの平面は、好ましくは、本質的に垂直な平面である。
【００３３】
第３パネルの第１の縁は、第１パネルの第１の縁に前記係止デバイスのうちの第２係止デバイスによって連結されてもよい。第１パネル及び第２パネルは、夫々、フレームの第１ボード及び第２ボードであってもよく、第３パネルは、書棚又は洋服だんすの背板であってもよい。前記第１及び第２の係止デバイスによって連結された背板等の第３パネルは、組立品の強度を高める。第１及び第２のパネル間の角度は、第３パネルの第１及び第２の縁の間の角度によって案内されてもよい。開示の実施の形態によって、垂直な隅部を持つ書棚又は洋服だんすを容易に得ることができる。組み立て及び分解を容易にするため、第３パネルの第１の縁は、第１パネルの第１の縁に沿って摺動自在に連結されていてもよい。
【００３４】
第６パネルの第１の縁は、第２パネルと第４パネルとの間で、第１パネルに対して本質的に垂直に連結されていてもよい。第６パネルは、第２パネル及び第４パネルと本質的に平行であってもよい。第６パネルの第１の縁は、前記係止デバイスのうちの第７係止デバイスによって連結されていてもよい。前記係止デバイスのうちの第７係止デバイスの可撓性タングは、好ましくは、第６パネルの第１の縁の挿入溝に配置される。第６パネルは、組立品、例えば書棚の固定棚であってもよい。
【００３５】
第４パネルが第１パネルに対して本質的に垂直に連結されていてもよく、第３パネルの第３の縁は、第４パネルの第２の縁に前記係止デバイスのうちの第３係止デバイスによって連結されていてもよい。
【００３６】
第２パネル及び第４パネルは、本質的に平行に配置されてもよく、分解を容易にするため、第３パネルは第２パネル及び第４パネルに摺動自在に連結されていてもよい。
【００３７】
第３パネルの第４の縁は、第５パネルの第２の縁の溝に配置されていてもよい。第５パネルは、第２パネル及び第４パネルに対して本質的に垂直に連結されていてもよい。
【００３８】
組立品は、前パネルであってもよい第５パネルがなく、第２パネル及び第４パネルがフレームのボードであってもよく、第３パネルが底ボードであってもよい、引き出し用の半製品であってもよい。前パネルは、半製品と同じ工場で、別の工場又は木工所で、又は建設現場の大工によって、第２パネル及び第４パネルに対して本質的に垂直に連結されてもよい。
【００３９】
第５パネルの第１の縁は、第２パネルの第３の縁に前記係止デバイスのうちの第４係止デバイスによって連結されていてもよく、第５パネルの第３の縁は、第４パネルの第３の縁に前記係止デバイスのうちの第５係止デバイスによって連結されていてもよい。
【００４０】
第１パネルの第１の縁は、第２パネルの第１の縁に前記係止デバイスのうちの第６係止デバイスによって連結されていてもよい。
【００４１】
第４パネルの第１の縁は、第１パネルの第３の縁に前記係止デバイスのうちの第７係止デバイスによって連結されていてもよい。
【００４２】
前記係止デバイスのうちの少なくとも一つの係止デバイスの挿入溝は、パネルの本質的に全長に沿って延びていてもよい（例えば、パネルの長さの少なくとも８０％）。
【００４３】
前記係止デバイスのうちの少なくとも一つの係止デバイスのタング溝は、隣接したパネルの本質的に全長に沿って延びていてもよい（例えば、パネルの長さの少なくとも８０％）。
【００４４】
本質的にパネル及び隣接したパネルの全幅（例えば、隣接したパネルの幅の少なくとも８０％）に沿って夫々延びるタング溝及び挿入溝は、タング溝及び挿入溝の製造を容易にする。タング溝及び挿入溝は、パネル及び隣接したパネルの夫々を、固定研削ヘッドを通して変位することによって製造されてもよい。
【００４５】
前記係止デバイスの少なくとも一つの可撓性タングは、係止デバイスの係止中及び係止解除中、挿入溝内で変位可能であってもよい。
【００４６】
係止デバイスは、パネル又は隣接したパネルの縁部分溝を含んでいてもよい。パネル又は隣接したパネルのうちの他方の縁部分は、パネル及び隣接したパネルを互いに係止するため、前記縁溝と協働してもよい。可撓性タング及びタング溝は、パネル及び隣接したパネルを第１方向で互いに係止するために協働し、縁部分及び縁部分溝は、パネル及び隣接したパネルを第１方向に対して垂直な第２方向で互いに係止するために協働する。
【００４７】
縁部分には、較正溝が設けられていてもよい。
【００４８】
第３パネルには、前記係止デバイスのうちの一つ又はそれ以上に分解溝又は凹所が設けられていてもよく、前記分解溝又は凹所は、好ましくは、分解工具を挿入されるようになっている。分解工具を分解溝又は凹所に挿入し、係止デバイスを係止解除してもよい。
【００４９】
第１パネル、第２パネル、第４パネル、及び第５パネルの任意のものには、任意の係止デバイスに分解溝が設けられていてもよく、前記分解溝又は凹所は、好ましくは、分解工具を挿入するようになっている。分解工具を分解溝又は凹所に挿入し、係止デバイスを係止解除してもよい。
【００５０】
第２の態様の方法は、組立品の組み立てに使用されてもよい。
【００５１】
本発明を、本発明の実施の形態を示す添付の概略図面を参照して、例により更に詳細に説明する。
【図面の簡単な説明】
【００５２】
【図１】図１Ａ及び図１Ｂは、本発明の実施の形態による家具用係止デバイスの実施の形態を示す図である。
【図２】図２Ａ、図２Ｂ、及び図２Ｃは、本発明の実施の形態による家具構成要素又は家具を示す図である。
【図３】図３Ａ及び図３Ｂは、本発明の一実施の形態による家具構成要素又は家具を示す図である。
【図４】図４Ａは、本発明の一実施の形態による家具構成要素又は家具の組み立て方法を示す図であり、図４Ｂは、本発明の一実施の形態による家具構成要素又は家具の隅部分を示す図である。
【図５】図５は、本発明の一実施の形態による部分的に組み立てられた家具又は家具構成要素を示す図である。
【図６】図６Ａ乃至図６Ｄは、本発明の実施の形態による家具用係止デバイスの実施の形態を示す図である。
【図７】図７Ａは、本発明の一実施の形態による家具用係止デバイスの一実施の形態を示す図であり、図７Ｂ及び図７Ｃは、本発明の実施の形態による家具用係止デバイス及び分解工具の実施の形態を示す図であり、図７Ｄ及び図７Ｅは、分解凹所及び分解工具が設けられた係止デバイスの実施の形態を示す図である。
【図８】図８Ａ、図８Ｂ、及び図８Ｃは、本発明の一実施の形態による、背パネル又は底パネル用の機械式係止システムの実施の形態を示す図である。
【図９】図９は、本発明の一実施の形態による、組立品用の係止デバイスを示す図である。
【図１０】図１０Ａは、背パネル又は底パネルをフレームに係止するための本発明の一実施の形態による係止デバイスを示す図であり、図１０Ｂは、棚をフレームに係止するための本発明の一実施の形態による係止デバイスを示す図である。
【図１１】図１１Ａ乃至図１１Ｈは、本発明の実施の形態による可撓性タングを示す図である。
【発明を実施するための形態】
【００５３】
パネル４を隣接したパネル２に係止するための係止デバイスの一実施の形態を図１Ａ及び図１Ｂに示す。パネル及び隣接したパネルは、互いに垂直に連結された、即ちパネルの主表面が隣接したパネルの主表面に対して垂直に連結された、家具のパネルであってもよい。パネルと隣接したパネルとを第１方向で互いに係止するため、パネル４の縁部分２２が隣接したパネル２の縁部分溝２１に配置される。図１Ａの実施の形態は、縁部分溝２１の挿入溝２０に配置された可撓性タング３０と、縁部分２２のタング溝１０とを含む。図１Ｂの実施の形態は、縁部分２２の挿入溝２０に配置された可撓性タング３０と、縁部分溝２１のタング溝とを含む。可撓性タング３０及びタング溝１０が協働し、パネル４と隣接したパネル２とを第２方向で互いに係止し、第２方向は、第１方向に対して実質的に垂直である。可撓性タング３０は、パネル及び隣接したパネルの組立中、縁部分を縁部分溝に挿入するとき、挿入溝２０に押し込まれる。パネル及び隣接したパネルが連結状態に達したとき、可撓性タングは、ばね作用で戻り、タング溝に入る。
【００５４】
前記パネルは、書棚や洋服だんすの背板であってもよく、前記隣接したパネルはフレームのボードであってもよい。パネルは、更に、引き出しの底板であってもよく、隣接したパネルは、フレームのボードであってもよい。更に、パネル及び隣接したパネルは、夫々、書棚、洋服だんす、又は引き出しのフレームの第１及び第２のボードであってもよい。背板即ち底板は、厚さが約２〜４ｍｍのＨＤＦボード又はパーティクルボードであってもよい。本発明の実施の形態は、上文中に説明した係止デバイスを一つ又はそれ以上備えていてもよい。
【００５５】
図２Ａは、フレームの下側に配置された８個の係止デバイスを有する書棚等の家具を示す。この家具は、第１パネル１、例えば書棚の側板を含み、第１パネル１は、第１の縁で、第２パネル２、例えば書棚の天板の第１の縁に、係止デバイスの一つで連結されている。第３パネル４、例えば書棚の矩形の背板の第１の縁が、第２パネル２の第２の縁に別の係止デバイスで連結されている。第３パネル４の第２の縁が、第１パネルの第２の縁に別の係止デバイスで連結されている。第４パネル５、例えば書棚の底板の第１の縁が、第１パネルの第３の縁に更に別の係止デバイスで連結されている。第３パネル４の第３の縁の縁部分が、第４パネル５の第２の縁の縁部分溝に配置されてもよい。第５パネル６、例えば書棚の側板の第１の縁が、第４パネル５の第３の縁に別の係止デバイスで連結されており、第５パネル６の第３の縁が第２パネルの第３の縁に別の係止デバイスで連結されている。第３パネル４の第４の縁の縁部分が、第５パネル５の第２の縁の縁部分溝に配置されてもよい。第３パネル４の第１及び第２の縁の係止デバイスは、各々、二つ又はそれ以上の可撓性タング３０を備えていてもよい。第１パネル及び第４パネルと平行に配置された第６パネル３、例えば書棚の棚板は、第１の縁にある係止デバイスで、第１パネルに連結されており、第３の縁が別の係止デバイスで第５パネルに連結されている。第６パネル３の第１の縁及び第３の縁の夫々の係止デバイスの可撓性タングは、好ましくは、縁部分２２に配置されている。
【００５６】
図２Ｂは、第１パネル１、第３パネル４、及び第５パネル６の断面ＣＳ２Ｂを示す。この図は、第３パネル４の第４の縁の縁部分が、第５パネル６の第２の縁の縁部分溝に配置されてもよいということを示す。第３パネル４は、機械式係止システムによって係止された二枚又はそれ以上のボード４ａ〜４ｄを含んでいてもよい。機械式係止システムの実施の形態は、図８Ａ乃至図８Ｃに示してある。第５パネルの第２の縁には、隣接したボードの隣接した縁を連結するための別の係止デバイス（図示せず）が設けられていてもよい。
【００５７】
図２Ｃは、第２パネル２及び第３パネル４の断面ＣＳ２Ｃを示す。第３パネル４には、この実施の形態では、分解工具を挿入するようになった分解溝３３が設けられている。分解工具は、可撓性タングを挿入溝に押し込むことにより、第２パネル及び第３パネルの分解を容易にする。
【００５８】
図３Ａは、フレームの下側に配置された８個の係止デバイスを有する書棚等の家具を示す。この家具は、第１パネル１、例えば書棚の側板を含み、第１パネル１の第１の縁は、第２パネル２、例えば書棚の天板の第１の縁に一つの係止デバイスで連結されている。第３パネル４、例えば書棚の矩形の背板の第１の縁が、第２パネル２の第２の縁に別の係止デバイスで連結されている。第３パネル４の第２の縁の縁部分は、第１パネル１の第２の縁の縁部分溝に挿入されてもよい。第４パネル５、例えば書棚の底板の第１の縁が、第１パネル１の第３の縁に別の係止デバイスで連結されている。第３パネル４の第３の縁は、第４パネル５の第２の縁に別の係止デバイスで連結されている。第５パネル６、例えば書棚の側板の第１の縁が、第４パネル５の第３の縁に別の係止デバイスで連結されており、第５パネル６の第３の縁が第２パネル２の第３の縁に別の係止デバイスで連結されている。第３パネル４の第４の縁の縁部分は、第５パネル６の第２の縁の縁部分溝に配置されてもよい。第３パネル４の第１の縁及び第３の縁の係止デバイスは、各々、二つ又はそれ以上の可撓性タング３０を含んでいてもよい。第１パネル及び第４パネルと平行に配置された第６パネル３、例えば書棚の棚板は、別の係止デバイスによって、第１パネル１に連結されており、第３の縁が、別の係止デバイスによって、第５パネルに連結されている。第６パネル３の第１の縁及び第３の縁の夫々の係止デバイスの可撓性タングは、好ましくは、縁部分２２に配置されている。第３パネルは、好ましくは、分解を容易にするため、第１の縁及び第３の縁が摺動自在に連結されている。
【００５９】
図３Ｂは、第１パネル１、第３パネル４、及び第５パネル６の断面ＣＳ３Ｂを示す。第３パネル４は、上文中に説明した機械式係止システムによって係止された二枚又はそれ以上のボード４ａ〜４ｂを含んでいてもよい。
【００６０】
図４Ａは、図２Ａ〜図２Ｃを参照して説明した組立品を組み立てるための方法の一実施の形態を示す。好ましくは、第３パネル４を連結する前に、第１パネル１、第２パネル２、及び第６パネル３を互いに連結する。第３パネルの第１の縁及び第２の縁が、第１パネル１の第２の縁及び第２パネル２の第２の縁に同時に連結されるように、第３パネル４を斜め方向４１に変位してもよい。パネルを組み立てるための好ましい変形例の方法は、
第１主平面を持つ第１パネル１を、第１主平面に対して垂直な第２主平面を持つ第２パネル２に垂直に配置する、工程と、
第１パネル１の第１の縁を第２パネル２の第１の縁に、第１パネル及び／又は第２パネルの直線的変位によって、手で連結する工程と、
第１主平面及び第２主平面に対して垂直な第３主平面を持つ第３パネル４を第２パネル２及び第３パネル４に垂直に配置する工程と、
第３パネル４の第２の縁を第２パネル２の第２の縁に、第３パネル４及び／又は第２パネル２の直線的変位によって、手で連結する工程と、
第３パネル４の第１の縁を第１パネル１の第２の縁に、第３パネル及び／又は第１パネルの直線的変位４２によって、手で連結する工程と、
第２主平面に対して平行な第４主平面を持つ第４パネル５を第１パネル及び第３パネルに垂直に配置し、第４パネルの第１の縁を第１パネル１の第３の縁に、第４パネル５及び／又は第１パネル１の直線的変位によって、手で連結する工程と、
第１主平面と平行な第５主平面を持つ第５パネル６を第３パネル及び第４パネルに対して垂直に配置し、第５パネルの第１の縁を第２パネルの第３の縁に、及び第５パネルの第３の縁を第４パネルの第３の縁に、第５パネル６及び／又は第２パネル及び第４パネルの直線的変位によって、手で連結する工程とを含む。
【００６１】
各直線的変位は、好ましくは、第３主平面と平行な方向で行われる。
【００６２】
第３パネル４の第１の縁は、この変形例では、第１の縁のところで変位可能に連結されている。別の変形例は、第３パネルを第２パネルに対して垂直な第２方向４３に変位した後、第３パネルを第１パネルに対して垂直な第１方向４３に変位することである。第３パネル４の第２の縁は、この実施の形態では、第２の縁のところで変位可能に連結されている。
【００６３】
図４Ｂは、例えば第１パネル１と第２パネル２との間の隅部分には、係止デバイスを隠すため、カバープレートが設けられていてもよいということを示す。
【００６４】
図５は、フレームの下向きの側部に配置された６個の係止デバイスを含む、引き出し等の家具を示す。この家具は、第１パネル１、例えば引き出しの内側板を含み、この第１パネル１は、第１の縁で、第２パネル２、例えば引き出しの側板の第１の縁にこれらの係止デバイスのうちの一つの係止デバイスで連結されている。第３パネル４、例えば引き出しの矩形の底板の第１の縁を、第２パネル２の第２の縁に別の係止デバイスで連結する。第３パネル４の第２の縁の縁部分を、第１パネル１の第２の縁の縁部分溝に挿入してもよい。第４パネル５、例えば引き出しの側板の第１の縁を、第１パネル１の第３の縁に別の係止デバイスで連結する。第３パネル４の第３の縁を、第４パネル５の第２の縁に別の係止デバイスで連結する。次いで、第５パネル６、例えば引き出しの前板の第１の縁を第４パネル５の第３の縁に別の係止デバイスで連結し、第５パネル６の第３の縁を第２パネル２の第３の縁に別の係止デバイスで連結する。第３パネル４の第４の縁の縁部分を、第５パネル５の第２の縁の縁部分溝に配置してもよい。第３パネル４の第１の縁及び第３の縁の夫々の係止デバイスは、各々、二つ又はそれ以上の可撓性タング３０を含んでいてもよい。第３パネル４は、好ましくは、分解を容易にするため、第１の縁及び第３の縁で摺動自在に連結されている。パネルを組み立てるための好ましい変形例は、
第１主平面を持つ第１パネル１を、第１主平面に垂直な第２主平面を持つ第２パネル２に対して垂直に配置する工程と、
第１パネル及び／又は第２パネルの直線的変位によって、第１パネル１の第１の縁を第２パネル２の第１の縁に手で連結する工程と、
第１主平面及び第２主平面に対して垂直な第３主平面を持つ第３パネル４を、第２パネル及び第３パネルに対して垂直に配置する工程と、
第３パネル４及び／又は第２パネル２の直線的変位４３によって、第３パネル４の第２の縁を第２パネル２の第２の縁に手で連結する工程と、
第２主平面と平行な第４主平面を持つ第４パネル５を第１パネル及び第３パネルに垂直に配置すると同時に、第４パネル５の直線的変位によって、第４パネル５の第１の縁を第１パネル１の第３の縁に、及び第３パネル３の第３の縁を第４パネル５の第２の縁に手で同時に連結する工程と、
第１主平面と平行な第５主平面を持つ第５パネル６を第３パネル及び第４パネルに垂直に配置し、第５パネル６の直線的変位４４によって、第５パネル６の第１の縁を第２パネル２の第３の縁に、及び第５パネル６の第３の縁を第４パネル５の第３の縁に手で連結する工程とを含む。
【００６５】
図６Ａ及び図６Ｂは、係止デバイスの他の実施の形態を示す。これらの実施の形態は、縁部分の一つ又は２つの側部に設けられた較正溝４０とともに示してある。タング溝１０は、係止デバイス、即ち鏡像対称の係止デバイスの向き合った位置で同じ分解工具を使用できるように、対称であってもよい。縁部分溝には、縁部分溝への縁部分の挿入を容易にする案内面３２が設けられていてもよい。縁部分溝には、二つの向き合ったタング溝１０が設けられていてもよい。これらの二つの向き合ったタング溝は、エンドカッターによって、例えば現場の職人によって、容易に形成できる。
【００６６】
図７Ａは、二つの向き合ったタング溝１０を持つ実施の形態が、二つの可撓性タング３０を設けられてもよいということを示す。
【００６７】
図７Ｂ及び図７Ｃは、対称な分解工具９０を対称なタング溝１０に挿入することによる係止デバイスの分解を示す。
【００６８】
図７Ｄ及び図７Ｅは、分解凹所３４が設けられた他の実施の形態を示す。これらの実施の形態は、例えば、係止デバイスを、引き出し、箱、又は書棚等の家具の内側から係止解除するのが望ましい場合の、図２Ｃに示す実施の形態の変形例であってもよい。これらの実施の形態は、図５Ａに示す実施の形態で、第５パネル６を第２パネル２及び第４パネル５に連結するのに使用されてもよい。タング３０は、図７Ｂでは縁部分溝に配置されており、図７Ｅでは、縁部分に配置されている。縁部分には、分解工具９０に適合する分解溝３４が設けられている。分解工具を分解凹所に挿入したとき、タング３０が変位溝２０に押し戻され、係止デバイスを係止解除する。分解凹所は、カバープレート（図示せず）によって覆われていてもよい。分解工具を挿入するためにタング溝の外端からアクセスできるタング溝を持たない実施の形態について、分解溝又は分解凹所を備えた実施の形態が特に有利である。しかしながら、分解を容易にするため、任意の隣接したパネルを連結するのに分解溝又は分解凹所を備えた実施の形態を使用してもよい。
【００６９】
図８Ａは、機械式係止システムの一実施の形態を示す。機械式係止システムは、第１ボードの第１の縁にタング６４を備えている。このタング６４は、第１及び第２のボードを第１方向で係止するため、第２ボードの第２の縁のタング溝５０と協働する。更に、係止システムは、係止パネル７１を持つ突出ストリップ７０を第２の縁に備えている。係止パネル７１は、第１及び第２のボードを、第１方向と垂直な第２方向で係止するため、第１の縁の係止溝８０と協働する。ボード及び係止システムは、好ましくは、組立品に配置されており、係止ストリップは、荷重が加わる方向に向いている。このように配置されている場合、係止システムにより係止状態が保持される。
【００７０】
図８Ｂは、第１ボード８ａ及び第２ボード８ｂを互いに係止するように形成された機械式係止システムが設けられた第１ボード８ａ及び第２ボード８ｂを含む、背パネル又は底パネル等のパネルの変形例を示す。
【００７１】
第１ボード８ａの第１主平面は、第２ボード８ｂの第２主平面と本質的に平行であり、パネルは、パネルの主平面と平行な第１面８５及び反対側の第２面８６の両面を含む。機械式係止システムは、
第１ボード８ａの第１の縁に設けられた第１タング６４であって、第２ボード８ｂの第２の縁に設けられた第１タング溝５０と協働し、第１及び第２のパネルを第１垂直方向Ｖ１で互いに係止するように形成された第１タング６４と、
第２ボード８ｂの第２の縁に設けられた第２タング７２であって、第１パネル８ａの第１の縁に設けられた第２タング溝７３と協働し、第１及び第２のパネルを第２垂直方向Ｖ２で互いに係止するように形成された第２タング７２と、
第１ボード８ａと第２ボード８ｂとを第１水平方向Ｈ１で互いに係止するため、第１面に設けられた第１係止面対８３と、
第１ボード８ａと第２ボード８ｂとを第２水平方向Ｈ２で互いに係止するため、第２面に設けられた第２係止面対８４とを含む。
【００７２】
第１係止面対８３は、好ましくは、本質的に垂直である。第２係止面対８４もまた、好ましくは、本質的に垂直である。
【００７３】
第１タング６４及び第１タング溝５０は、第３係止面対８７のところで協働し、第３係止面対８７は、好ましくは、本質的に水平に配置されている。
【００７４】
第２タング７２及び第２タング溝７３は、第４係止面対７４のところで協働し、第４係止面対７４は、好ましくは、パネルの主平面に対してゼロよりも大きい所定の角度８８で配置されている。角度８８は、第１パネル１の傾け移動によって第１ボードを第２ボードに係止できるように選択される。第１パネル１の傾け移動により、第１タング６４は、図８Ｃに示すように第１タング溝５０に挿入される。
【００７５】
第１面８５は、上向きに、又は第１及び第２のボードが、逆方向傾け移動によって係止解除されることがないように、最大負荷Ｆ１が加わる方向に配置されている。
【００７６】
第２面８６は、下向きに、又はパネルに最小負荷Ｆ２が加わる方向に配置されている。第２タング及びタング溝は、逆方向傾け移動による第１及び第２のボードが係止解除のための抵抗を提供してもよい。
【００７７】
角度８８は、約３０°乃至約６０°の範囲内にあってもよい。当該角度８８は、好ましくは約４５°である。
【００７８】
図９は、フレームパネル１、２、４、５の一つのパネル及び隣接したパネルを互いに係止するための係止デバイスの好ましい実施の形態を示す。係止デバイスは、縁部分溝２１と第１の縁との間に、コア材料の第１厚さ５５を含む。第１厚さは、縁部分２２のコア材料の最小第２厚さ５４よりも大きい。第１厚さ５５と最小第２厚さ５４との間の比は、少なくとも約１．２５であってもく、好ましくは少なくとも約１．５であり、更に好ましくは少なくとも約２である。第１厚さ５５と最小第２厚さ５４との間の好ましい比は、約１．１乃至約３である。
【００７９】
一実施の形態は、第１壁５６及び第２壁５７を持つ縁部分溝２１を含む。第１壁は、第２壁よりもパネルの縁に近い。第１厚さ５５は、好ましくは、第１壁５６と第１の縁５３との間で計測される。第１及び第２の壁５６、５７は、好ましくは、底壁５８によって連結されている。
【００８０】
縁部分２２は、第１壁及びこれと向き合った第２壁を含んでいてもよく、第１壁にはタング溝１０が設けられてもよい。最小第２厚さ５４は、タング溝の底部と第２壁との間で計測されてもよい。
【００８１】
本質的に第１の縁の縁部分溝の全長に沿って延びる挿入溝２０の一実施の形態により、製造が容易になる。本質的に第２の縁の縁部分の全長に沿って延びるタング溝１０の一実施の形態によっても、製造が容易になる。
【００８２】
パネル２の縁５３は、好ましい実施の形態では、隣接した第２パネル４の外面６３と本質的に同じ平面に設けられている。
【００８３】
縁部分溝の開口部の縁には、挿入溝２０への可撓性タング３０の挿入を容易にするため、面取り部５９或いは丸みが設けられていてもよい。
【００８４】
図１０Ａは、背板又は底パネル等の第３パネル４を、フレームの任意の背縁又は底縁８１に係止するための係止デバイスの一実施の形態を示す。フレームの一実施の形態を図２Ａ、図３Ａ、及び図５に示す。
【００８５】
図１０Ｂは、棚等の第６パネル３をフレームの任意のパネル８２に係止するための係止デバイスの一実施の形態を示す。第６パネル３の第１の縁は、直線的変位及び／又は傾け移動によってフレームに連結されてもよい。フレームの一実施の形態を図２Ａ及び図３Ａに示す。
【００８６】
挿入溝２０内で変位可能な可撓性タング３０の一実施の形態を図１１Ａ−図１１Ｄに示す。図１１Ａ及び図１１Ｂは、可撓性タングを係止位置で示し、図１１Ｃ及び図１１Ｄは、パネル及び隣接したパネルの組立中の可撓性タングを示す。図１１Ｂは、図１１Ａの可撓性タングの断面を示す。図１１Ｄは、図１１Ｃの可撓性タングの断面を示す。可撓性タングは、屈曲可能な突出部分２４を含む。タングと挿入溝２０の底壁との間には空間２３が設けられている。図１１Ｃは、パネルの組立中、可撓性タングが挿入溝２０に、底壁に向かって押し込まれることを示す。タングは、第１及び第２のパネルが係止位置に達したとき、ばね作用で戻る。好ましくは、各屈曲可能な突出部分に凹所２５が設けられている。
【００８７】
可撓性タングは、挿入溝２０の第３変位面２８及び第４変位面２９に沿って変位するように形成された第１変位面２６及びこれとは反対側の第２変位面２７を含んでいてもよい。
【００８８】
屈曲可能な突出部分がない可撓性タング３０の他の実施の形態を図１１Ｅ及び図１１Ｆに示す。図１１Ｆは、図１１Ｅのタングの断面を示す。この実施の形態は、図１１Ａ−図１１Ｄに示す実施の形態と同じ機能を果たすため、その長さ方向で屈曲可能である。
【００８９】
可撓性タング３０の別の実施の形態を図１１Ｇ−図１１Ｈに示す。図１１Ｇは、パネル及び隣接したパネルを可撓性タングで互いに係止する前の可撓性タング３０を示す。可撓性タングは、楔エレメントが設けられた内部分３１と、パネル及び隣接したパネルを可撓性タングによって互いに係止するための外部分とを含む。係止は、外部分の短縁部に、第１縁部と平行な方向に力Ｐを加えることによって行われる。この力が外タング部分をパネルの縁部と平行な方向に変位し、楔が外タング部分を挿入溝２０から垂直方向に押し離す。従って、可撓性タングの外部分の結果的変位３２は、第１の縁と平行な方向と垂直方向との間の方向に生じる。
【００９０】
以上、本発明の例示の実施の形態を説明したが、本発明は、本明細書中に説明した様々な好ましい実施の形態に限定されるものではなく、等価のエレメント、当業者が本開示に基づいて思いつくであろう変形、省略、組み合わせ（例えば様々な実施の形態に亘る態様）、適合、及び／又は変更を持つ任意の実施の形態及び全ての実施の形態を含む。特許請求の範囲における限定は、特許請求の範囲で使用された言語に基づいて広く解釈されるべきであり、本明細書中に、又は出願手続き中に説明した、非排他的であると解釈されるべき例に限定されない。
【図１Ａ】
0006682437.tif 000002
【図１Ｂ】
0006682437.tif 000003
【図２Ａ】
0006682437.tif 000004
【図２Ｂ】
0006682437.tif 000005
【図２Ｃ】
0006682437.tif 000006
【図３Ａ】
0006682437.tif 000007
【図３Ｂ】
0006682437.tif 000008
【図４Ａ】
0006682437.tif 000009
【図４Ｂ】
0006682437.tif 000010
【図５】
0006682437.tif 000011
【図６Ａ】
0006682437.tif 000012
【図６Ｂ】
0006682437.tif 000013
【図６Ｃ】
0006682437.tif 000014
【図６Ｄ】
0006682437.tif 000015
【図７Ａ】
0006682437.tif 000016
【図７Ｂ】
0006682437.tif 000017
【図７Ｃ】
0006682437.tif 000018
【図７Ｄ】
0006682437.tif 000019
【図７Ｅ】
0006682437.tif 000020
【図８Ａ】
0006682437.tif 000021
【図８Ｂ】
0006682437.tif 000022
【図８Ｃ】
0006682437.tif 000023
【図９】
0006682437.tif 000024
【図１０Ａ】
0006682437.tif 000025
【図１０Ｂ】
0006682437.tif 000026
【図１１Ａ】
0006682437.tif 000027
【図１１Ｂ】
0006682437.tif 000028
【図１１Ｃ】
0006682437.tif 000029
【図１１Ｄ】
0006682437.tif 000030
【図１１Ｅ】
0006682437.tif 000031
【図１１Ｆ】
0006682437.tif 000032
【図１１Ｇ】
0006682437.tif 000033
【図１１Ｈ】
0006682437.tif 000034